(57)【要約】      （修正有）【課題】簡単な構造で容易に、且つ、確実にコンパクトにできる自立式展示枠を提供する。【解決手段】２本の縦桟体１と２本の横桟体２とで矩形状の展示部を備えて組設され、縦桟体１の下端にヒンジ部３を介装して立設用基台４を設けた自立式展示枠において、縦桟体１の長手方向に両側の内側に鍔辺を突出させた摺動用凹溝５を形成し、摺動用凹溝５に摺動自在に摺動基部６を内装し、摺動基部６と立設用基台４の端辺とを枢動手段７ａを介して枢動自在に接続した支持杆７を設け、摺動用凹溝５に内装した摺動基部６を任意位置で固定する固定手段６ａを設けた。【選択図】図１
2007041255.tif 000002
【特許請求の範囲】
【請求項１】
２本の縦桟体と２本の横桟体とで矩形状の展示部を備えて組設され、該夫々の縦桟体の下端にヒンジ部を介装して平板状の立設用基台を設けた自立式展示枠において、前記夫々の縦桟体の長手方向に両側の内側に鍔辺を突出させた摺動用凹溝を形成し、該夫々の摺動用凹溝に摺動自在に摺動基部を内装し、該摺動基部と前記立設用基台の端辺とを夫々枢動手段を介して枢動自在に接続した支持杆を設け、前記摺動用凹溝に内装した摺動基部を任意位置で固定する固定手段を設けたことを特徴とする自立式展示枠。
【発明の詳細な説明】
【技術分野】
【０００１】
本発明は自立式展示枠に関するものであり、更に、詳細には、縦桟体の下端にヒンジ部を介装して接続された立設用基台を容易に水平位置、又は、垂直位置で固定をするもので、展示、収納が容易にできる自立式展示枠に関するものである。
【背景技術】
【０００２】
従来、この種の自立式展示枠は、立設用基台に展示枠が垂直に立設されて展示されるものであるが、収納や移動に縦方向と横方向に嵩張ることからヒンジ部を介装して展示枠と同一方向に枢動させているが、簡単な構造で容易に、且つ、確実にコンパクトにできる手段がなかった。
【０００３】
その為に、例えば、先に開示されている、表示板１の裏面中央に、下部掛止孔２を有する支持杆３を回動自在に緩く枢着し、上記表示板１の裏面に該支持杆３の上端部が嵌入し得る凹部５．６を前記回動支点の上下に対称的に設けて成るもの（特許文献１参照）や、方形金属板の二箇所を上方に∠９０°折曲し樋形にして基盤とし、並立板の上縁を滑り止めの鋸目とし、並立板の間に看板脚を挿入し固定する四角パイプを左右∠１６０°以内回動せしめるべく、四角パイプの下部に支点を設定し支点と並立板間に横に軸架し、四角パイプの上方に手動で上下にスライドし鋸目と係合する四角リングを周設し四角パイプが左右∠１６０°以内任意の角度で半固定し、基板の並立板外面及び底外面にモルタルを重着して基板の保護体と重石にしているもの（特許文献２参照）や、展示装置１は、主枠体２と、主枠体２を支持する支持枠体３とを具備しており、主枠体２は、側面に縦溝１１を有すると共に側面が互いに対面するように並置された一対の縦部材１２及び１３を具備しており、支持枠体３は、軸３１を介して互いに回動自在に連結されていると共に一対の縦部材１２及び１３の夫々に対応して設けられた一対の支持部材３２及び３３を具備しており、支持部材３２は縦部材１２の縦溝１１に配された軸４２を介して縦部材１２に回動自在であって縦溝１１に沿って移動自在となるように連結されており、支持部材３３は縦部材１２の下端部１９に軸４６を介して回動自在に連結されているもの（特許文献３参照）等が開示されている。
【特許文献１】実告昭５０−１１５０６号公報
【特許文献２】特開２００３−３０８０２２号公報
【特許文献３】特開２００４−１６３５７６号公報
【発明の開示】
【発明が解決しようとする課題】
【０００４】
然し乍ら、先に開示された特許文献１のものは、表示板１の裏面中央に、下部掛止孔２を有する支持杆３を回動自在に緩く枢着し、上記表示板１の裏面に該支持杆３の上端部が嵌入し得る凹部５．６を前記回動支点の上下に対称的に設けて成るもので、第２図のように自立させることも可能であるが、組立にはビス４を必要とすると共に、頻繁に収納又は展示を繰り返すものとしては不適当なものである。
【０００５】
更に、特許文献２に記載のものでは、Ａ装置においては、四角パイプの下部に支点を設定し支点と並立板間に横に軸５を軸架しており、枢動は可能なもののモルタル９を備えて収納時も嵩張るものであり、Ｂ装置においては、図３に図示されるように、半円状１の基台に半円弧１４状の溝穴を穿設したり、雄ネジ１５や蝶雌ネジ１６を備えなければ成らず、任意角度には固定できるものであるが、収納、移動にはコンパクトとは言い難いものである。
【０００６】
更には、特許文献３では、展示装置１は、主枠体２と、主枠体２を支持する支持枠体３とを具備しており、主枠体２は、側面に縦溝１１を有すると共に側面が互いに対面するように並置された一対の縦部材１２及び１３を具備しており、支持枠体３は、軸３１を介して互いに回動自在に連結されていると共に一対の縦部材１２及び１３の夫々に対応して設けられた一対の支持部材３２及び３３を具備しており、支持部材３２は縦部材１２の縦溝１１に配された軸４２を介して縦部材１２に回動自在であって縦溝１１に沿って移動自在となるように連結されており、支持部材３３は縦部材１２の下端部１９に軸４６を介して回動自在に連結されているものであり、収納はコンパクトになるもののパーツが多く、構造が複雑と成っているものである。
【課題を解決するための手段】
【０００７】
本発明の自立式展示枠は、前述の課題に鑑み、鋭意研鑽の結果、縦桟体と横桟体とで展示部を備えて組設され、縦桟体の下端にヒンジ部を介装して平板状の立設用基台を設けた自立式展示枠において、縦桟体の長手方向に両側の内側に鍔辺を突出させた摺動用凹溝を形成し、摺動用凹溝に摺動自在に摺動基部を内装し、摺動基部と立設用基台の端辺とを枢動手段を介して枢動自在に接続した支持杆を設け、摺動用凹溝に内装した摺動基部を任意位置で固定する固定手段を設けたものである。
【発明の効果】
【０００８】
本発明の自立式展示枠は、縦桟体の下端にヒンジ部を介装して平板状の立設用基台を設け、縦桟体の長手方向に摺動用凹溝を形成し、摺動用凹溝に摺動自在に摺動基部を内装し、摺動基部と立設用基台とを枢動手段を介して枢動自在に接続した支持杆を設け、摺動用凹溝に内装した摺動基部を任意位置で固定する固定手段を設けたもので、摺動基部を摺動させて固定手段で固定することで簡易な構造で容易に且つコンパクトに収納、移動できるもので、極めて実用性の高い発明である。
【発明を実施するための最良の形態】
【０００９】
以下、本発明の自立式展示枠の実施例の図面を用いて詳細に説明すると、図１は本発明の自立式展示枠の実施例の立設状態の概要を説明するための概要側面図であり、図２は本発明の自立式展示枠の実施例の収納状態の概要を説明するための概要側面図であり、図３は本発明の自立式展示枠の実施例の要部断面図である。
【００１０】
本発明は自立式展示枠に関するものであり、更に、詳細には、縦桟体１の下端にヒンジ部３を介装して接続された立設用基台４を容易に水平位置、又は、垂直位置で固定をするもので、展示、収納が容易にできる自立式展示枠に関するものであり、２本の縦桟体１と２本の横桟体２とで矩形状の展示部を備えて組設され、該夫々の縦桟体１の下端にヒンジ部３を介装して平板状の立設用基台４を設けた自立式展示枠において、前記夫々の縦桟体１の長手方向に両側の内側に鍔辺５ａを突出させた摺動用凹溝５を形成し、該夫々の摺動用凹溝５に摺動自在に摺動基部６を内装し、該摺動基部６と前記立設用基台４の端辺とを夫々枢動手段７ａを介して枢動自在に接続した支持杆７を設け、前記摺動用凹溝５に内装した摺動基部６を任意位置で固定する固定手段６ａを設けたことを特徴とするものである。
【実施例】
【００１１】
即ち、本発明の自立式展示枠は、左右に間隔を有して配された縦桟体１と上下に間隔を有して配された横桟体２とで矩形状の展示部を備えて組設されているもので、展示部の下方の夫々の縦桟体１は下段の横桟体２より下方に突出させているものである。
【００１２】
そして、立設用基台４は長平板状のもので夫々の縦桟体１の下端にヒンジ部３を介装して展示部の面方向と直交する方向に設けているものである。
【００１３】
次に、摺動用凹溝５は夫々の縦桟体１の長手方向の全長にわたって形成しているもので、摺動用凹溝５の開口の両側には夫々内側に突出させた鍔辺５ａを形成しているものである。
【００１４】
次いで、摺動基部６は前記摺動用凹溝５に摺動自在に且つ密着して内装しているもので、摺動用凹溝５の開口より突出させて後述する支持杆７と接続する枢動手段７ａを設けると共に固定手段６ａを備えるものである。
【００１５】
更に、支持杆７は棒状のもので摺動基部６と立設用基台４の端辺とを夫々枢動手段７ａを介して枢動自在に接続しているもので、摺動手段７ａは、例えば、支持杆７の両端と摺動基部６と立設用基台４の端辺と夫々枢動ピンを介して接続することにより枢動自在としているものである。
【００１６】
更には、固定手段６ａは摺動用凹溝５に内装した摺動基部６を任意位置で固定するものであり、固定手段６ａは各種考慮でき、例えば、摺動基部６の垂直方向に貫通した螺孔を螺設して、該螺孔に螺合させるボルトを備えたもので、ボルトをねじ込むことで先端が摺動用凹溝５の底面に当接して適宜位置で固定できるものや、摺動用凹溝５の底面に半球状の凹陥部を形成しておき、摺動基部６の底面に弾性を利して出没可能な突起物を前記凹陥部に嵌入させて固定できるもの等で構わないものである。
【００１７】
つまり、本発明の自立式展示枠を自立させる時は、図１に図示の如く、縦桟体１の下方の立設用基台４を逆Ｔ字状にして摺動基部６を固定手段６ａにより摺動用凹溝５に固定するものであり、この状態で展示部に展示物を展示させるものである。
【００１８】
そして、自立式展示枠を収納又は移動させるときは、摺動用凹溝５に固定されている摺動基部６の固定手段６ａを解除して、摺動基部６を摺動用凹溝５の中で上方に摺動させるものであり、摺動させることにより、図２に図示する如く、両端が枢動自在に枢動手段７ａを介装しているため枢着して支持杆７と立設用基台４は縦桟１と略平行状態と成るもので嵩張らない平坦状として収納又は移動させるものである。
【産業上の利用可能性】
【００１９】
本発明の自立式展示枠は、取扱いが簡単で容易に組立、展示、又は、収納、移動ができるもので、特に、収納、移動は略平坦状に成っており、嵩張らず、展示場所が頻繁に変わったり毎日出し入れする場合の展示に好適なものである。
【図面の簡単な説明】
【００２０】
【図１】図１は本発明の自立式展示枠の実施例の立設状態の概要を説明するための概要側面図である。
【図２】図２は本発明の自立式展示枠の実施例の収納状態の概要を説明するための概要側面図である。
【図３】図３は本発明の自立式展示枠の実施例の要部断面図である。
【符号の説明】
【００２１】
１      縦桟体
２      横桟体
３      ヒンジ部
４      立設用基台
５      摺動用凹溝
５ａ    鍔辺
６      摺動基部
６ａ    固定手段
７      支持杆
７ａ    枢動手段
【図１】
2007041255.tif 000003
【図２】
2007041255.tif 000004
【図３】
2007041255.tif 000005